(57)【要約】【課題】天井パネルを確実に固定することができ、上方の空間を広く確保できる浴室構造を得る。【解決手段】天井パネル部材３０Ａ、３０Ｂからは、上方に向けて垂直に立設部３８が立設され、さらに立設部３８のそれぞれから外側に向かって、掛止部４２が延出される。掛止部４２を側壁パネル２６の上端に載せ置き、立設部３８と側壁パネル２６とを貫通するようにビス４０をねじ込む。掛止部４２を基準に考えると、天井パネル２８は下方へ落とし込まれた位置となっており、建物躯体５２の天面５２Ｔとの間の空間ＳＰが広くなる。【選択図】図２
2011042936.tif 000002
【特許請求の範囲】
【請求項１】
浴室の側壁を構成する側壁パネルと、
前記浴室の天井を構成する天井パネルと、
前記天井パネルの周囲から上方へ立設された立設部と、
前記立設部を前記側壁パネルに固定するための固定部材と、
を有する浴室構造。
【請求項２】
前記立設部の上部から前記天井パネルよりも平面視で外側へ延出され前記側壁パネルへの掛止用とされる掛止部、
を有する請求項１に記載の浴室構造。
【請求項３】
前記立設部が、前記浴室を平面視したとき浴室の全周に渡って前記側壁パネルに対向している請求項１又は請求項２に記載の浴室構造。
【請求項４】
前記立設部が前記側壁パネルに対し平行に対向している請求項３に記載の浴室構造。
【請求項５】
前記立設部と前記側壁パネルの間に配置され、立設部と側壁パネルの双方に密着するパッキン、を有する請求項３又は請求項４に記載の浴室構造。
【請求項６】
前記固定部材が、前記立設部と前記側壁パネルとを貫通するようにねじ込まれるビスである請求項１〜請求項５のいずれか１項に記載の浴室構造。
【発明の詳細な説明】
【技術分野】
【０００１】
本発明は、浴室構造に関し、さらに詳しくは、側壁パネルによって側壁が構成されると共に天井パネルによって天井が構成される浴室構造に関する。
【背景技術】
【０００２】
浴室構造として、特許文献１には、浴室の天井を構成する部材（第１のパネル状部材及び第２のパネル状部材）の張出部分を、浴室の壁の上端縁に載せて掛止できるようにした構造が記載されている。しかし、このように天井を構成する部材を壁に載せて掛止するだけでは、確実に天井を固定することができない。
【０００３】
特許文献２には、天井板の周囲に載置部及び当接部を形成し、載置部を壁の上端に載置させかつ当接部を壁の内面に当接させる構造が記載されている。しかし、特許文献２では、天井板の固定には係止具が必要となる。
【０００４】
特許文献３には、天井パネルを壁パネル上に載せ、壁パネルの上端の止め具に天井パネルの側縁部を当接させるようにした構造が記載されている。しかし、特許文献３の構造においても、止め具が必要になる。
【０００５】
しかも、特許文献１〜３のいずれの構造においても、天井パネルは上方に向かって膨出しており、浴室構造の上方（建物躯体の天面と天井パネルとの間）の空間が狭いので、この空間への部材配置が困難になったり、空間を利用した天井パネルの取り付け作業等の作業性が低下したりする。
【先行技術文献】
【特許文献】
【０００６】
【特許文献１】特開２０００−２２６９００号公報
【特許文献２】特開２０００−１７８６５号公報
【特許文献３】特開２０００−８６２６号公報
【発明の概要】
【発明が解決しようとする課題】
【０００７】
本発明は、上記事実を考慮し、天井パネルを確実に固定することができ、上方の空間を広く確保できる浴室構造を得ることを課題とする。
【課題を解決するための手段】
【０００８】
請求項１に記載の発明では、浴室の側壁を構成する側壁パネルと、前記浴室の天井を構成する天井パネルと、前記天井パネルの周囲から上方へ立設された立設部と、前記立設部を前記側壁パネルに固定するための固定部材と、を有する。
【０００９】
この浴室構造では、天井パネルの周囲から立設部が立設されている。天井パネルを側壁パネルに固定して浴室構造の天井を構成するには、固定部材を用いて、立設部を側壁パネルに固定する。立設部は、天井パネルの周囲から上方へ立設されているので、固定部材による固定位置を基準に考えると、天井パネルは下方へ落とし込まれた位置で取り付けられている。したがって、天井パネルがこのように落とし込まれていない構造と比較して、天井パネルと建物躯体との空間（特に空間の高さ）を大きく確保できる。すなわち、浴室構造の上方の空間を広く確保できる。たとえば、この空間に、浴室に備えられる各種の機器や部材を配置することも可能になる。また、固定部材を用いて立設部を側壁パネルに固定する際の作業スペースとしてこの空間を用いることで、作業性を向上させることも可能になる。
【００１０】
請求項２に記載の発明では、請求項１に記載の発明において、前記立設部の上部から前記天井パネルよりも平面視で外側へ延出され前記側壁パネルへの掛止用とされる掛止部、を有する。
【００１１】
したがって、この浴室構造では、掛止部を用いて側壁パネルに天井パネルを掛止させ、その後に、固定部材を用いて立設部を側壁パネルに固定できるので、天井パネルの取り付け作業の作業性が向上する。また、掛止部を基準に考えると、天井パネルは下方へ落とし込まれた位置で取り付けられるので、天井パネルと建物躯体との空間（特に空間の高さ）を大きく確保できる。
【００１２】
請求項３に記載の発明では、請求項１又は請求項２に記載の発明において、前記立設部が、前記浴室を平面視したとき浴室の全周に渡って前記側壁パネルに対向している。
【００１３】
したがって、立設部が浴室の周方向の一部分でのみ側壁パネルに対向している構造と比較して、固定部材による固定箇所を多くとることができ、より確実な固定が可能になる。
【００１４】
請求項４に記載の発明では、請求項３に記載の発明において、前記立設部が前記側壁パネルに対し平行に対向している。
【００１５】
したがって、立設部が側壁パネルに対し平行でない構造と比較して、天井パネルの側壁パネルに対する位置あわせが容易になる。
【００１６】
請求項５に記載の発明では、請求項３又は請求項４に記載の発明において、前記立設部と前記側壁パネルの間に配置され、立設部と側壁パネルの双方に密着するパッキン、を有する。
【００１７】
このパッキンにより、浴室の内部から浴室上方への水分の漏出を抑制できる。
【００１８】
請求項６に記載の発明では、請求項１〜請求項５のいずれか１項に記載の発明において、前記固定部材が、前記立設部と前記側壁パネルとを貫通するようにねじ込まれるビスである。
【００１９】
ビスを用いた簡単な構造で立設部を側壁パネルに対し確実に固定できる。
【発明の効果】
【００２０】
本発明は上記構成としたので、天井パネルを確実に固定することができると共に、浴室の上方の空間を広く確保できる。
【図面の簡単な説明】
【００２１】
【図１】本発明の第１実施形態の浴室構造が適用された浴室ユニットを概略的に示す一部破断斜視図である。
【図２】本発明の第１実施形態の浴室構造を部分的に拡大して示す断面図である。
【図３】比較例の浴室構造を部分的に拡大して示す断面図である。
【図４】本発明の第２実施形態の浴室構造を部分的に拡大して示す断面図である。
【図５】本発明の第３実施形態の浴室構造を部分的に拡大して示す断面図である。
【発明を実施するための形態】
【００２２】
図１には、本発明の第１実施形態の浴室構造２２が適用された浴室ユニット１２が示されている。また、図２には、浴室ユニット１２の上部が部分的に拡大された状態の断面で示されている。
【００２３】
図１に示すように、浴室ユニット１２は、洗い場部１４と、浴槽部１６を備え、さらに、これら洗い場部１４と浴槽部１６とに一体成形されてこれらと連続する壁状のエプロン部１８を有している。
【００２４】
さらに浴室ユニット１２は、４枚の側壁パネル２６を有しており、平面視にて、これら側壁パネル２６で囲まれた空間が浴室２４となっている。側壁パネル２６の上方には天井パネル２８が配置されており、浴室２４の天井を構成している。本実施形態では特に、天井パネル２８を、浴室ユニット１２の幅方向（矢印Ｗ１方向）に並べて配置される２枚の天井パネル部材３０Ａ、３０Ｂで構成している。
【００２５】
一方の天井パネル部材３０Ｂには、その中央に点検口３２が形成されている。点検口３２は、通常状態では蓋板３４によって閉塞されているが、点検時や、後述するように天井パネル部材３０Ｂの取付時には開放され、浴室２４側から作業者が天井パネル部材３０Ｂの上方へと体の一部を差し入れることが可能となる。なお、天井パネル部材３０Ａ、３０Ｂの天面及び側壁パネル２６の外面には複数のリブ３６が形成されており、天井パネル部材３０Ａ、３０Ｂ及び側壁パネル２６が補強されている。
【００２６】
図２にも詳細に示すように、天井パネル部材３０Ａ、３０Ｂの４辺のそれぞれからは、上方に向けて垂直に立設部３８が立設されている。立設部３８はいずれも長尺の板状に形成されている。図１に示すように、それぞれの天井パネル部材３０Ａ、３０Ｂにおいて、天井パネル部材３０Ａ、３０Ｂが突き合わされる部分では、立設部３８どうしが面接触している。そして、必要におうじて、ビス４０が２つの立設部３８どうしを貫通するようにねじ込まれることで、天井パネル部材３０Ａ、３０Ｂが１枚の板状に接合され、天井パネル２８が構成される。
【００２７】
天井パネル部材３０Ａ、３０Ｂのそれぞれにおける他の３つずつの立設部３８は、対応する側壁パネル２６のそれぞれの上部に対し、平行に対向する位置及び形状とされている。特に本実施形態では、立設部３８は側壁パネル２６に対し面接触している。そして、平面視にて浴室ユニット１２の内側から、ビス４０が立設部３８及び側壁パネル２６に貫通するようにねじ込まれることで、立設部３８が側壁パネル２６に固定される。図１からも分かるように、２枚の天井パネル部材３０Ａ、３０Ｂが接合されて１枚の天井パネル２８が構成された状態で、天井パネル２８の周囲には、全周にわたる立設部３８が形成されていることになる。
【００２８】
立設部３８のそれぞれからは、平面視にて外側に向かって、掛止部４２が延出されている。４つの掛止部４２はいずれも長尺の板状に形成されている。そして、対応する側壁パネル２６の上端２６Ｔに掛止部４２が載せされて掛止される（引っ掛けられる）ことで、天井パネル２８が側壁パネル２６の上方に支持されるようになっている。ここで、図２から分かるように、本実施形態では、掛止部４２を基準に考えると、天井パネル２８は下方へ落とし込まれた位置となっている。
【００２９】
次に、本実施形態の浴室構造２２において、天井パネル２８を取り付ける方法、及び浴室構造２２の作用を説明する。
【００３０】
図１に示すように、４つの側壁パネル２６が立設された状態（但し天井パネル２８は取り付けられていない）で、まず、点検口３２が形成されていない天井パネル部材３０Ａを側壁パネル２６の上方の所定位置に配置させ、掛止部４２を側壁パネル２６の上端２６Ｔに載せ置く。このとき、図２からも分かるように、立設部３８の３つは側壁パネル２６と対向して面接触しているので、この面接触している立設部３８と側壁パネル２６とを貫通するようにビス４０をねじ込み、天井パネル部材３０Ａを側壁パネル２６に取り付ける。次いで、もう一方の天井パネル部材３０Ｂを側壁パネル２６の上方の所定位置（天井パネル部材３０Ａで覆われていない部分）に配置させ、掛止部４２を側壁パネル２６の上端に載せ置く。そして、天井パネル部材３０Ａ、３０Ｂの隣接する立設部３８どうしは面接触しているので、この部分に必要に応じてビス４０を貫通させて１枚の天井パネル２８を構成すると共に、これ以外の立設部３８と側壁パネル２６とを貫通するようにビス４０をねじ込み、天井パネル部材３０Ｂを側壁パネル２６に取り付ける。このように、立設部３８と側壁パネル２６とにビス４０をねじ込むことで、天井パネル２８を確実に固定することができる。
【００３１】
ここで、図２から分かるように、本実施形態の天井パネル２８（天井パネル部材３０Ａ、３０Ｂ）では、掛止部４２を基準に考えると、天井パネル２８は下方へ落とし込まれた位置となっており、建物躯体５２の天面５２Ｔとの間の空間ＳＰが広くなっている（特に空間ＳＰの高さＨ１が高くなっている）。
【００３２】
図３には、比較例として、このように落とし込まれることなく、側壁パネル２６の上端２６Ｔと同じ高さに天井パネル６４が位置する浴室構造６２が部分的に示されている。比較例の浴室構造６２では、本実施形態と比較して、立設部３８の高さ分だけ、天井パネル６４が高い位置にあるため、天井パネル６４と建物躯体５２の天面５２Ｔとの間の空間ＳＰが狭くなっている（特に、空間ＳＰの高さＨ１が低くなっている）。
【００３３】
本実施形態では、このように、浴室構造２２の上方の空間ＳＰが広くなるので、この空間ＳＰを利用して効率的に、他の機器（たとえば、浴室換気乾燥機）等を設置することができる。図３に示す比較例では、このような機器を設置するために、側壁パネルの上部を切除して高さを低くする等の必要があったが、本実施形態ではこのような必要がないので、少ない手数で機器を空間ＳＰへ設置することができ、設置コストの低減を図ることができる。また、加工費、側壁パネルの上部を切除しないので、廃材の量も少なくなる。
【００３４】
しかも、このように空間ＳＰを広く確保しているので、ビス４０を立設部３８及び側壁パネル２６にねじ込む際の作業スペースも広くなる。
【００３５】
また、本実施形態では、天井パネル２８から立設された立設部３８を側壁パネル２６と対向させているので、浴室構造２２の上端（側壁パネル２６の上端）と建物躯体５２の天面５２Ｔとのクリアランスが少ない場合であっても、ビス４０を横方向（矢印Ａ方向）にねじ込んで天井パネル２８を側壁パネル２６に取り付けることができる。従来のように、ブラケット等の他部材を用いる必要がないので、部品点数を削減できると共に、作業性も向上する。
【００３６】
加えて、本実施形態では、長尺状の立設部３８が側壁パネル２６に対し面接触し、掛止部４２も側壁パネル２６の上端に対し面接触した状態で固定されている。このように、天井パネル２８と側壁パネル２６との接触面積が広くなっているので、これらの間における水分の通過を抑制でき、止水性が高くなる。
【００３７】
図４には、本発明の第２実施形態の浴室構造７２が示されている。第２実施形態において、第１実施形態と同一の構成要素、部材等については同一符号を付して、詳細な説明を省略する。
【００３８】
第２実施形態の浴室構造７２では、立設部３８と側壁パネル２６との間に、パッキン７４が挿入されている。パッキン７４はゴム等の弾性を有する（もちろん耐水性も有する）材料によってシート状に形成されており、ビス４０がねじ込まれると、立設部３８と側壁パネル２６との間で、厚み方向に僅かに圧縮された状態で挿入されている。これ以外は、第１実施形態の浴室構造２２と同一の構成とされている。
【００３９】
したがって、第２実施形態の浴室構造７２では、第１実施形態の浴室構造２２と比較して、天井パネル２８と側壁パネル２６との間における止水性がより高くなる。
【００４０】
図５には、本発明の第３実施形態の浴室構造８２が示されている。第３実施形態においても、第１実施形態と同一の構成要素、部材等については同一符号を付して、詳細な説明を省略する。
【００４１】
第３実施形態の浴室構造８２では、立設部３８と側壁パネル２６との間だけでなく、掛止部４２と側壁パネル２６の上端との間にも、パッキン８４が挿入されている。すなわち、第３実施形態に係るパッキン８４は、第２実施形態に係るパッキン７４と同様に、ゴム等の弾性を有する（もちろん耐水性も有する）材料によって形成されているが、その形状は、断面略Ｌ字状とされている。そして、パッキン８４は、ビス４０がねじ込まれると、立設部３８と側壁パネル２６との間で、厚み方向に僅かに圧縮されるだけでなく、掛止部４２と側壁パネル２６の上端とにも挟まれる。これ以外は、第１実施形態の浴室構造２２と同一の構成とされている。
【００４２】
したがって、第３実施形態の浴室構造８２では、第１実施形態の浴室構造２２及び第２実施形態の浴室構造７２と比較して、天井パネル２８と側壁パネル２６との間における止水性がさらに高くなる。
【００４３】
なお、このように、天井パネル２８と側壁パネル２６との間の止水性を高めるためには、上記したパッキン７４、８４限定されず、たとえば第１実施形態の浴室構造２２において、立設部３８と側壁パネル２６の間（厳密には、立設部３８と天井パネル２８との境界部分と側壁パネル２６の間）にシール剤等を塗布してもよいが、上記のパッキン７４、８４を用いるほうが高い止水性を得られ、また、シール剤の剥がれ等のおそれもないので好ましい。
【００４４】
また、上記では、立設部３８として、側壁パネル２６と平行に立設された構造のものを例として挙げたが、要するに本発明の本質は、立設部３８を設けることで、天井パネル２８の位置を掛止部４２（側壁パネル２６の上端）よりも低くし、空間ＳＰを広く確保することにある。したがって、立設部３８は側壁パネル２６に対し、たとえば図２と同様の断面を考えたときに、傾斜する（立設部３８の上端側から下端側へ向かって次第に側壁パネル２６から離れる向き、あるいはその反対向きに傾斜する）構造でもよい。さらに、浴室構造２２を平面視したときに、立設部３８が側壁パネル２６に対し傾斜していてもよい。ただし、このようの立設部３８が側壁パネル２６に対し傾斜していると、側壁パネル２６に対する天井パネル２８の位置あわせが難しくなることがある。これに対し、立設部３８が側壁パネル２６と平行になっていると、天井パネル２８の側壁パネル２６に対する位置あわせが容易になる。
【００４５】
また、立設部３８は、浴室構造２２、８２、９２を平面視したときに、天井パネル２８の全周に亘って形成されている必要はなく、部分的（たとえば天井パネル２８のコーナー部分にのみ、あるいは天井パネル２８の各片の中央部分）にのみ形成されていてもよいが、上記各実施形態のように全周に亘って形成すると、ビス４０による固定箇所が制限されず、より多くの箇所をビス４０で固定できるようになるので好ましい。また、側壁パネル２６と天井パネル２８との間の止水性を高める観点からも、立設部３８を天井パネル２８の全周に亘って形成することが好ましい。
【００４６】
本発明の「固定部材」としても、上記のビス４０に限定されず、たとえばリベットや接着剤であってもよい。特にビスを用いると、簡単な構造で、且つ簡易な工程で立設部３８を側壁オア寝る２６に固定できるので、好ましい。
【００４７】
さらに上記では、掛止部４２が立設部３８から延出され、側壁パネル２６の上端２６Ｔに掛止部４２が載せされて掛止される（引っ掛けられる）構造のものを挙げているが、掛止部４２がない構造としてもよい。すなわち、立設部３８において固定部材を用いて側壁パネル２６に固定すれば、天井パネル２８は、固定部材による固定位置よりも下方に落とし込まれた位置、換言すれば、側壁パネル２６の上端２６Ｔより下方の位置となるので、空間ＳＰ（図２等参照）を広く確保できる。
【００４８】
もちろん、掛止部４２を用いて側壁パネル２６に天井パネル２８を掛止させることで、天井パネル２８の取り付け作業が容易になり作業性が向上する。また、天井パネル２８の上下方向の位置あわせも容易になるので、好ましい。
【符号の説明】
【００４９】
１２  浴室ユニット
１４  洗い場部
１６  浴槽部
１８  エプロン部
２２  浴室構造
２４  浴室
２６  側壁パネル
２８  天井パネル
３０Ａ、３０Ｂ    天井パネル部材
３２  点検口
３４  蓋板
３６  リブ
３８  立設部
４０  ビス（固定部材）
４２  掛止部
５２  建物躯体
５２Ｔ      天面
６２  浴室構造
６４  天井パネル
７２  浴室構造
７４  パッキン
８２  浴室構造
８４  パッキン
ＳＰ  空間
【図１】
2011042936.tif 000003
【図２】
2011042936.tif 000004
【図３】
2011042936.tif 000005
【図４】
2011042936.tif 000006
【図５】
2011042936.tif 000007